(57)【要約】      （修正有）【課題】人間の体各部位にそれぞれマッサージ動作を対面式施術に近い形態の効果的な遠隔マッサージを提供する。【解決手段】マッサージ受術者は制御装置の指令に従い、押し、揉み、叩き、揺らぎなどのマッサージ動作をする機能を備える装置３を人体にフィートする服装を着用する。これら複数のマッサージ動作をする装置を制御する遠隔制御装置１と、各マッサージ機能動作をする装置に遠隔制御装置からの指令を伝達する中間制御装置２，４を設ける。マッサージ施術者は、遠隔で受術者の着用した服装に取り付けられる各マッサージ動作をする装置１を動作させてマッサージ受術者に遠隔マッサージを実施する。【選択図】図１
2019013714.tif 000002
【特許請求の範囲】
【請求項１】
制御装置の指令に従い、押し、揉み、叩き、揺らぎなどのマッサージ動作をする機能を備える装置を人体にフィートする服装の当該する服装を着用する人間に受けさせるマッサージの目的や内容に基づく着用者人体の各ポイントに当たるような位置に複数に取り付け、データ通信を相互情報の伝達、交換手段とするこれら複数のマッサージ動作をする装置を制御する遠隔制御装置と、遠隔制御装置からのリクエスト、指令を受信し、遠隔制御装置側からの遠隔マッサージリクエストを許可、または拒否する手段を備え、リクエストを許可した場合、各マッサージ機能動作をする装置に遠隔制御装置からの指令を伝達する中間制御装置を設け、マッサージ受術者は自分の体にフィートするサイズの当該服装を着用し、マッサージ施術者はマッサージ装置を制御する装置からデータ通信にてマッサージ受術者に遠隔マッサージ施術実行のリクエストを伝達し、マッサージ受術者に中間制御装置にてリクエストを受け入れてもらった後で、遠隔で受術者の着用した服装に取り付けられる各マッサージ動作をする装置を動作させてマッサージ受術者に遠隔マッサージを実施する手段を備えることを特徴とする遠隔マッサージ施術システム。
【発明の詳細な説明】
【技術分野】
【０００１】本発明は、マッサージ施術者が遠隔でマッサージ受術者にマッサージを施術する技術に関する。
【背景技術】
【０００２】対面式ではない遠隔でマッサージ機器を使ってのマッサージは、施術者は受術者を見えないため、受術者は遠隔操作する施術者からの指示に基づき、自分の身体に指示された場所にマッサージ装置を取り付けたり、当てたりして、施術者は通信を通じて受術者に遠隔制御するマッサージ機器を作動させ、マッサージを遠隔で行うのが一般的である。
【発明の概要】
【発明が解決しようとする課題】
【０００３】マッサージ施術者は、マッサージの目的により、遠隔でマッサージ受術者の身体部位に合わせて施術する必要があるが、受術者の協力が必須なだけでなく、身体詳細部位に関する知識を持たない受術者は、マッサージ装置を正確に取り付けたり、当てたりすることが困難なため、施術者の意図する受術者のツボなど身体特徴に合わせての効果的なマッサージ施術は困難であり、また、受術者がマッサージ装置を施術対象である自分の体各部位に取り付けたり当てたりする行為はマッサージ施術の妨げになることもある。
【課題を解決するための手段】
【０００４】本発明では上記課題を解決するため、下記のような構成を採用する。【０００５】制御装置の指令に従い、押し、揉み、叩き、揺らぎなどのマッサージ動作をする機能を備える装置を人体にフィートする服装に複数に設ける。【０００６】取り付け位置は、当該する服装を着用する人間に受けさせるマッサージの目的や内容に基づく着用者人体のツボなど各ポイントに当たるような位置にする。【０００７】データ通信を相互情報の伝達、交換手段とするこれら複数のマッサージ動作をする装置を制御する遠隔制御装置を設ける。【０００８】遠隔制御装置からの施術リクエスト、指令を受信し、遠隔制御装置側からの遠隔マッサージ施術リクエストを許可、または拒否する手段を備え、リクエストを許可した場合、各マッサージ機能動作をする装置に遠隔制御装置からの指令を伝達する中間制御装置を設ける。【０００９】マッサージ受術者は遠隔でマッサージを受ける時は、自分の体にフィートするサイズの当該服装を着用し、施術者にマッサージの施術を依頼する。【００１０】マッサージ施術者はマッサージ装置を制御する遠隔制御装置から、データ通信にてマッサージ受術者に遠隔マッサージ施術実行のリクエストと施術内容を伝達する。【００１１】マッサージ受術者は施術内容を中間制御装置にて確認し、予定通りマッサージを受ける場合は、中間制御装置にて受信した施術リクエストを受け入れる。【００１２】マッサージ受術者による施術リクエストを受け入れたという情報はデータ通信にて施術者の遠隔制御装置に伝わり、施術者は遠隔制御装置にて、受術者の着用した服装に取り付けられる各マッサージ動作をする装置を動作させ、マッサージ受術者に遠隔マッサージを実施する。【００１３】受術者は、遠隔制御装置からのマッサージ施術リクエストを拒否することが可能であり、施術者からのマッサージ施術リクエストを受け入れなければ、施術者は制御する服装に取り付けられるマッサージ動作をする装置を操作できない仕様とする。また、施術中でいつでも中間制御装置にてマッサージの施術を中断することが可能な仕様とする。
【発明の効果】
【００１４】本発明は上記のように、体に合うサイズの人間の体にフィートする服装を着用すれば、自分の体各部位に当たる服装の其々のポイントもほぼ一定する特徴を利用し、受術者が遠隔制御されるマッサージ動作をする機能を有する装置が複数を人間の体にフィートする服装の着用者体の各部位に対応する位置に取り付けることにより、受術者は自分の体に合うサイズの当該服装を着用するだけで、自分の身体特徴に合う各ポイントにて、遠隔マッサージ施術者の目的に応える対面式施術に近い形態の効果的なマッサージを受けられるようになった。
【発明を実施するための形態】
【００１５】以下に本発明の実施の形態について、図面を参照して説明する。
【００１６】図１に、本発明の構成図を示す。
【００１７】データ通信機能を有するモバイル通信デバイスを遠隔制御装置１として設ける。当該遠隔制御装置１は施術者が所持し、操作をする。
【００１８】遠隔制御装置１の指令に従い、押し、揉み、叩き、揺らぎなどのマッサージ動作をする機能を備える装置３をフィートする肌着に、図２と図３のように複数に取り付ける。
【００１９】遠隔制御装置１からのマッサージ施術リクエスト及び施術予定内容、各マッサージ動作をする装置３に対する指令を受信し、遠隔制御装置１からの施術予定内容を確認できる機能と、遠隔マッサージリクエストを許可、または拒否する手段を備え、且つ、マッサージ施術リクエストを許可した場合、各マッサージ機能動作をする装置３に遠隔制御装置１からの指令を伝達する中間制御装置２と４を設ける。当該中間制御装置２と４は受術者が所持し、操作をする。
【００２０】中間制御装置２を二つの部分で構成する。片方はデータ通信機能を有するモバイル通信デバイス２にする。もう片方は、中間制御装置の一部であるデータ通信機能を有するモバイル通信デバイスと近距離データ通信する部分４を設け、図２の服装に直接取り付ける。この部分４は、バッテリーを内蔵し、外部電源からの受電が可能な仕様とする。マッサージ機能動作をする装置３の各個別装置とデータ通信機能を有する有線接続をする。
【００２１】遠隔制御装置１であるデータ通信機能を有するモバイル通信デバイスに遠隔制御アプリ、中間制御装置のデータ通信機能を有するモバイル通信デバイス２の部分に中間制御アプリをそれぞれインストールする。
【００２２】マッサージ受術者は遠隔でマッサージを受けたい時は、自分の体にフィートするサイズの当該服装を着用し、施術者にどのような内容のマッサージを受けたいかを伝え、依頼をする。
【００２３】マッサージ施術者は依頼を受け、施術の内容説明を含む施術リクエストを遠隔制御装置１にインストールされたアプリにて、マッサージ受術者の持つ中間制御装置のモバイル通信デバイス部分２に伝達する。
【００２４】マッサージ受術者は所持する中間制御装置のモバイル通信デバイス２にインストールされているアプリにて、施術者の予定するマッサージ内容を確認し、施術を許可するかどうかを決める。
【００２５】施術者からの予定するマッサージ施術リクエストを受け入れる時は、マッサージ受術者は所持する中間制御装置のモバイル通信デバイス２にインストールされているアプリにて、リクエスト許可する操作をする。
【００２６】施術リクエストが許可されたという情報はデータ通信にて、遠隔制御装置１に伝わり、マッサージ施術者は遠隔制御装置であるモバイル通信デバイスにインストールされているアプリにて、服装に取り付けられている複数のマッサージ動作をする各装置３に対し、それぞれの動作指令を伝達する。
【００２７】遠隔制御装置１からからの指令を中間制御装置のモバイル通信デバイス部分２が受信し、更に近距離通信にて、中間制御装置の服装に直接に取り付けられる部分４に伝わり、各服装に取り付けられているマッサージ操作をする装置を指令通りに作動させる。
【図面の簡単な説明】
【００２８】
【図１】本発明の構成図
【図２】本発明の服装の正面配置例
【図３】本発明の服装の背面配置例
【符号の説明】
【００２９】  １  遠隔制御装置
２  中間制御装置の服に取り付けられていない部分
３  服装に取り付けられる複数のマッサージ動作をする装置
４  中間制御装置の服装に直接取り付けられる部分
【図１】
2019013714.tif 000003
【図２】
2019013714.tif 000004
【図３】
2019013714.tif 000005